(57)【要約】【課題】表示品質を向上させることが可能な電気光学装置、及び電子機器を提供する。【解決手段】第１基板５１と、第１基板５１と対向するように配置された第２基板５２と、第１基板５１と第２基板５２との間に挟持された液晶層と、を含む液晶パネル４０と、液晶パネル４０の表面に液体１０１を供給する噴霧装置１０２ａ〜１０２ｄと、を備える。【選択図】図７
2015200723.tif 000002
【特許請求の範囲】
【請求項１】
第１基板と、
前記第１基板と対向するように配置された第２基板と、
前記第１基板と前記第２基板との間に挟持された電気光学層と、
を含む電気光学パネルと、
前記電気光学パネルの表面に液体を供給する供給装置と、
を備えることを特徴とする電気光学装置。
【請求項２】
請求項１に記載の電気光学装置であって、
前記供給装置は、前記液体を噴霧する噴霧装置であることを特徴とする電気光学装置。
【請求項３】
請求項１又は請求項２に記載の電気光学装置であって、
前記第１基板の前記電気光学層と反対側に配置された第１親液膜と、
前記第２基板の前記電気光学層と反対側に配置された第２親液膜と、
を備えることを特徴とする電気光学装置。
【請求項４】
請求項３に記載の電気光学装置であって、
前記第１基板と前記第１親液膜との間に配置された第１防塵基板と、
前記第２基板と前記第２親液膜との間に配置された第２防塵基板と、
を備えることを特徴とする電気光学装置。
【請求項５】
請求項１乃至請求項４のいずれか一項に記載の電気光学装置であって、
前記液体は、水又はアルコールであることを特徴とする電気光学装置。
【請求項６】
請求項１乃至請求項５のいずれか一項に記載の電気光学装置を備えることを特徴とする電子機器。
【発明の詳細な説明】
【技術分野】
【０００１】
本発明は、電気光学装置、及び電子機器に関する。
【背景技術】
【０００２】
上記電気光学装置として、例えば、画素電極をスイッチング制御する素子としてトランジスターを画素ごとに備えたアクティブ駆動方式の液晶装置が知られている。液晶装置は、例えば、直視型ディスプレイやライトバルブなどにおいて用いられる。
【０００３】
このような液晶装置は、液晶パネルの表面にゴミなどの異物が付着すると、表示に悪影響を及ぼす。そこで、例えば、特許文献１に記載のように、液晶パネルにゴミなどの異物が付着しないように、液晶パネルにイオン化冷却風を送風させることにより、冷却風に含まれるダストの電荷を取り除く方法が開示されている。
【先行技術文献】
【特許文献】
【０００４】
【特許文献１】特開２００４−１０１９８７号公報
【発明の概要】
【発明が解決しようとする課題】
【０００５】
しかしながら、液晶パネルに異物を付着させないための方法は開示されているが、液晶パネルに付着した異物を取り除く方法までは開示されておらず、異物の除去対策が十分ではないという課題がある。また、液晶パネルの周囲全体を高湿度（イオン化冷却風）に晒すことにより、液晶パネルの品質が低下するという課題がある。
【課題を解決するための手段】
【０００６】
本発明の態様は、上記課題の少なくとも一部を解決するためになされたものであり、以下の形態又は適用例として実現することが可能である。
【０００７】
［適用例１］本適用例に係る電気光学装置は、第１基板と、前記第１基板と対向するように配置された第２基板と、前記第１基板と前記第２基板との間に挟持された電気光学層と、を含む電気光学パネルと、前記電気光学パネルの表面に液体を供給する供給装置と、を備えることを特徴とする。
【０００８】
本適用例によれば、電気光学パネルの表面に液体を供給するので、電気光学パネルに付着した異物を液体の自重の動きに沿って下方に落とすことができる。また、液体を供給するので、電気光学パネルの周辺の湿度を高くすることができる。よって、異物が付着する原因である静電気の発生を抑えることができる。加えて、電気光学パネルに液体を供給するので、電気光学パネルを冷却することができる。
【０００９】
［適用例２］上記適用例に係る電気光学装置において、前記供給装置は、前記液体を噴霧する噴霧装置であることが好ましい。
【００１０】
本適用例によれば、液体を噴霧することにより、必要最小限の液体を用いて異物を流し落とすことができる。また、微量な液体を噴霧するので、電気光学パネルの周辺全体に水分による悪影響を及ぼすことを抑えることができる。
【００１１】
［適用例３］上記適用例に係る電気光学装置において、前記第１基板の前記電気光学層と反対側に配置された第１親液膜と、前記第２基板の前記電気光学層と反対側に配置された第２親液膜と、を備えることが好ましい。
【００１２】
本適用例によれば、第１基板及び第２基板の表面に親液膜を形成するので、液体を供給した際、表面に薄い液体の膜を作ることができる。よって、親液膜に対する液体の接触角が０に近づき、液体が流れやすくなり、汚れも付きにくい（セルフクリーニング効果）。また、液体を供給することにより、異物を流しやすくすることができる。その結果、異物がセルフクリーニング効果によって落ち、異物が付着したとしても、液体を噴霧することで、液体と異物が共に落下する。また、局所的に液体を噴霧することで、微量な液体でクリーニングすることが可能となると共に、静電気の発生を抑えることができる。
【００１３】
［適用例４］上記適用例に係る電気光学装置において、前記第１基板と前記第１親液膜との間に配置された第１防塵基板と、前記第２基板と前記第２親液膜との間に配置された第２防塵基板と、を備えることが好ましい。
【００１４】
本適用例によれば、防塵基板を備えているので、電気光学パネルが発生した熱を防塵基板を介して外部に放熱させることが可能となる。また、防塵基板を備えていることにより、電気光学パネルと異物との距離を離すことが可能となり、微量な異物が付着した場合でもピントをあいにくくすることができる。
【００１５】
［適用例５］上記適用例に係る電気光学装置において、前記液体は、水又はアルコールであることが好ましい。
【００１６】
本適用例によれば、水を用いるので、異物を流すことが可能であると共に、電気光学パネルを冷却することができる。また、アルコールの場合、異物を流すことが可能であると共に、電気光学パネルを冷却することができ、乾燥もさせやすい。
【００１７】
［適用例６］本適用例に係る電子機器は、上記の電気光学装置を備えることを特徴とする。
【００１８】
本適用例によれば、上記の電気光学装置を備えているので、電気光学パネルに付着した異物を除去することができ、表示品質を向上させることが可能な電子機器を提供することができる。
【図面の簡単な説明】
【００１９】
【図１】電子機器の一例としての投射型表示装置の構成を示す図。
【図２】投射型表示装置に用いた光学ユニットの構成を示す模式平面図。
【図３】投射型表示装置に用いた光学ユニットの構成を示す模式図。
【図４】液晶モジュールに用いた液晶パネルの構成を示す模式図。
【図５】液晶モジュールを光出射側から見たときの斜視図。
【図６】液晶モジュールを分解した様子を光出射側から見たときの分解斜視図。
【図７】液晶パネルを含む液晶装置の構成を示す模式図。
【図８】液晶パネルに付着した異物を取り除く方法を工程順に示す模式側面図。
【図９】変形例の液晶装置の構成を示す模式側面図。
【図１０】変形例の液晶装置の構成を示す模式側面図。
【発明を実施するための形態】
【００２０】
以下、本発明を具体化した実施形態について図面に従って説明する。なお、使用する図面は、説明する部分が認識可能な状態となるように、適宜拡大または縮小して表示している。
【００２１】
なお、以下の形態において、例えば「基板上に」と記載された場合、基板の上に接するように配置される場合、または基板の上に他の構成物を介して配置される場合、または基板の上に一部が接するように配置され、一部が他の構成物を介して配置される場合を表すものとする。
【００２２】
本実施形態では、電気光学装置の一例として、薄膜トランジスター（ＴＦＴ：Thin Film Transistor）を画素のスイッチング素子として備えたアクティブマトリックス型の液晶装置を例に挙げて説明する。この液晶装置は、例えば、投射型表示装置（液晶プロジェクター）の光変調素子（液晶ライトバルブ）として好適に用いることができるものである。
【００２３】
＜投射型表示装置（電子機器）の構成＞
図１は、電子機器の一例としての投射型表示装置の構成を示す図である。（ａ）は、投射型表示装置の主要部分の平面的な構成を示す模式平面図である。（ｂ）は、主要部分を側方から見たときの模式側面図である。図２は、投射型表示装置に用いた光学ユニットの構成を示す模式平面図である。以下、投射型表示装置及び光学ユニットの構成について、図１及び図２を参照しながら説明する。
【００２４】
図１に示す投射型表示装置１において、外装ケース２の内部には、その後端側に電源ユニット７が配置され、電源ユニット７に装置前側で隣り合う位置に光源ランプユニット８（光源部）および光学ユニット９が配置されている。また、外装ケース２の内部には、光学ユニット９の前側の中央に投射レンズユニット６の基端側が位置している。
【００２５】
光学ユニット９の一方の側には、入出力インターフェイス回路が搭載されたインターフェイス基板１１が装置前後方向に向けて配置され、インターフェイス基板１１に平行に、ビデオ信号処理回路が搭載されたビデオ基板１２が配置されている。光源ランプユニット８および光学ユニット９の上側には装置駆動制御用の制御基板１３が配置され、装置前端側の左右の角の各々にはスピーカー１４Ｒ、１４Ｌが配置されている。
【００２６】
光学ユニット９の上方および下方には装置内部冷却用の吸気ファン１５Ａ、１５Ｂが配置されている。また、光源ランプユニット８の裏面側である装置側面には排気ファン１６が配置されている。さらに、インターフェイス基板１１およびビデオ基板１２の端に面する位置には、吸気ファン１５Ａからの冷却用空気流を電源ユニット７内に吸引するための補助冷却ファン１７が配置されている。これらのファンのうち、吸気ファン１５Ｂは、主に後述する電気光学パネルとしての液晶パネルの冷却用ファンとして機能している。
【００２７】
図１及び図２において、光学ユニット９を構成する各光学素子は、色光合成手段を構成しているプリズムユニット２０を含めて、ＭｇやＡｌ等の金属からなる上ライトガイド２１または下ライトガイド２２により支持されている。上ライトガイド２１および下ライトガイド２２は、アッパーケース３およびロアーケース４に固定ねじにより固定されている。
【００２８】
＜光学ユニットの詳細構成＞
図３は、本発明を適用した投射型表示装置に用いた光学ユニットの構成を示す模式図である。以下、光学ユニットの構成について、図３を参照しながら説明する。
【００２９】
図３に示すように、光学ユニット９は、光源ランプ８０５と、均一照明光学素子であるインテグレーターレンズ９２１、９２２を有する照明光学系９２３と、この照明光学系９２３から出射される光束Ｗを、赤、緑、青の各光束Ｒ、Ｇ、Ｂに分離する色光分離光学系９２４とを有している。
【００３０】
また、光学ユニット９は、各色光束を変調する電気光学パネル（ライトバルブ）としての３枚の透過型の液晶パネル４０（Ｒ）、４０（Ｇ）、４０（Ｂ）と、変調された色光束を合成する色光合成光学系としてのプリズムユニット２０と、合成された光束を投射面上に拡大投射する投射レンズユニット６とを有している。また、色光分離光学系９２４によって分離された各色光束のうち、青色光束Ｂを対応する液晶パネル４０（Ｂ）に導くリレー光学系９２７を備えている。
【００３１】
照明光学系９２３は、さらに、反射ミラー９３１を備えており、光源ランプ８０５からの出射光の光軸１ａを装置前方向に向けて直角に折り曲げるようにしている。この反射ミラー９３１を挟み、インテグレーターレンズ９２１、９２２が前後に直する状態に配置されている。
【００３２】
色光分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、この青緑反射ダイクロイックミラー９４１を通過して、後方の反射ミラー９４３で直角に反射されて、赤色光束の出射部９４４から色光合成光学系の側に出射される。
【００３３】
次に、緑反射ダイクロイックミラー９４２において、青緑反射ダイクロイックミラー９４１において反射された青および緑の光束Ｂ、Ｇのうち、緑色光束Ｇのみが直角に反射されて、緑色光束の出射部９４５から色光合成光学系の側に出射される。緑反射ダイクロイックミラー９４２を通過した青色光束Ｂは、青色光束の出射部９４６からリレー光学系９２７の側に出射される。本形態では、照明光学系９２３の光束の出射部から色光分離光学系９２４における各色光束の出射部９４４、９４５、９４６までの距離が、全てほぼ等しくなるように設定されている。
【００３４】
色光分離光学系９２４の赤色光束および緑色光束の出射部９４４、９４５の出射側には、それぞれ集光レンズ９５１、９５２が配置されている。したがって、各出射部から出射した赤色光束および緑色光束は、これらの集光レンズ９５１、９５２に入射して平行化される。
【００３５】
平行化された赤色および緑色の光束Ｒ、Ｇは、偏光板１６０（Ｒ）、１６０（Ｇ）によって偏光方向が揃えられた後、液晶パネル４０（Ｒ）、４０（Ｇ）に入射して変調され、各色光に対応した画像情報が付加される。すなわち、これらの液晶パネル４０（Ｒ）、４０（Ｇ）は、図示していない駆動手段によって画像情報に対応する画像信号によってスイッチング制御され、これにより、ここを通過する各色光の変調が行われる。このような駆動手段は、公知の手段をそのまま使用することができる。
【００３６】
一方、青色光束Ｂは、リレー光学系９２７を介し、さらに、偏光板１６０（Ｂ）によって偏光方向が揃えられた後、対応する液晶パネル４０（Ｂ）に導かれて、ここにおいて、同様に画像情報に応じて変調が施される。リレー光学系９２７は、集光レンズ９７４と入射側反射ミラー９７１と、出射側反射ミラー９７２と、これらのミラー間に配置した中間レンズ９７３と、液晶パネル４０（Ｂ）の手前側に配置した集光レンズ９５３から構成される。
【００３７】
各色光束の光路の長さ、すなわち、光源ランプ８０５から各液晶パネルまでの距離は、青色光束Ｂが最も長くなり、従って、この光束の光量損失が最も多くなる。しかし、リレー光学系９２７を介在させることにより、光量損失を抑制できる。
【００３８】
各液晶パネル４０（Ｒ）、４０（Ｇ）、４０（Ｂ）を通って変調された各色光束は、偏光板１６１（Ｒ）、１６１（Ｇ）、１６１（Ｂ）に入射し、これを透過した光がプリズムユニット２０（クロスダイクロイックプリズム）に入射して合成される。ここで合成されたカラー画像は、投射レンズ系を備えた投射レンズユニット６を介して、所定の位置にあるスクリーン等の被投射面１ｂ上に拡大投射される。
【００３９】
＜液晶パネルの構成＞
図４は、液晶モジュールに用いた液晶パネルの構成を示す模式図である。（ａ）は、液晶パネルの構成を示す模式平面図である。（ｂ）は、（ａ）に示す液晶パネルのＨ−Ｈ’線に沿う模式断面図である。以下、液晶パネルの構成を、図４を参照しながら説明する。
【００４０】
なお、図４、後述する図５及び図６等において、光源光の進行方向については矢印Ｌ１１で示し、液晶パネル４０によって光源光を変調した後の表示光の進行方向については矢印Ｌ１２で示し、図１に示す吸気ファン１５Ｂ等によって液晶パネル４０に供給される冷却空気の流れについては矢印Ａで示してある。
【００４１】
また、以下の説明では、液晶パネル４０および液晶モジュールの面内方向で互いに交差する２方向のうちの一方をＸ軸方向とし、他方をＹ軸方向とし、Ｘ軸方向およびＹ軸方向に交差する方向をＺ軸方向とする。
【００４２】
また、以下に参照する図面では、Ｙ軸方向の一方側（フレキシブル配線基板４０ｉが設けられている側）をＹ１側とし、他方側をＹ２側とし、Ｘ軸方向の一方側をＸ１側とし、他方側をＸ２側とし、Ｚ軸方向の一方側（光源光が入射する側）をＺ１側とし、これと他方側（表示光が出射される側）をＺ２側として表してある。
【００４３】
図１〜図３を参照して説明した投射型表示装置１において、光学ユニット９に液晶パネル４０（Ｒ）、４０（Ｇ）、４０（Ｂ）を搭載するにあたっては、液晶パネル４０（Ｒ）、４０（Ｇ）、４０（Ｂ）を各々、後述する液晶モジュール１０（Ｒ）、１０（Ｇ）、１０（Ｂ）として搭載する。
【００４４】
ここで、液晶パネル４０（Ｒ）、４０（Ｇ）、４０（Ｂ）は同一の構成を有しており、液晶パネル４０（Ｒ）、４０（Ｇ）、４０（Ｂ）を備えた液晶モジュール１０（Ｒ）、１０（Ｇ）、１０（Ｂ）も赤色用（Ｒ）、緑色用（Ｇ）、青色用（Ｂ）で同一の構成を有している。従って、以下の説明では、液晶パネル４０（Ｒ）、４０（Ｇ）、４０（Ｂ）および液晶モジュール１０（Ｒ）、１０（Ｇ）、１０（Ｂ）等については、対応する色を示す（Ｒ）（Ｇ）（Ｂ）を付さずに説明する。
【００４５】
図４に示すように、液晶パネル４０では、透光性の第１基板５１（素子基板）と透光性の第２基板５２（対向基板）とが所定の隙間を介してシール材４０７によって貼り合わされている。
【００４６】
第１基板５１および第２基板５２は石英ガラスや耐熱ガラス等が用いられており、本実施形態において、第１基板５１および第２基板５２には石英ガラスが用いられている。本実施形態において、液晶パネル４０は、第１基板５１と第２基板５２との間においてシール材４０７によって囲まれた領域内に電気光学層としての液晶層４５０が保持されている。
【００４７】
シール材４０７は、第２基板５２の外縁に沿うように枠状に設けられている。シール材４０７は、光硬化性を備えた接着剤、熱硬化性の接着剤、あるいは光硬化性および熱硬化性の双方を備えた接着剤であり、両基板間の距離を所定値とするためのグラスファイバー、あるいはガラスビーズ等のギャップ材が配合されている。
【００４８】
本実施形態において、第１基板５１は四角形であり、４つの辺の各々に側端面５１１、５１２、５１３、５１４を備えている。第２基板５２も、第１基板５１と同様、四角形であり、４つの辺の各々に側端面５２１、５２２、５２３、５２４を備えている。このため、液晶パネル４０の側端面は、第１基板５１の側端面５１１、５１２、５１３、５１４、および第２基板５２の側端面５２１、５２２、５２３、５２４により構成されている。
【００４９】
本実施形態において、第１基板５１は第２基板５２よりサイズが大きく、第１基板５１の４つの側端面５１１、５１２、５１３、５１４は各々、第２基板５２の側端面５２１、５２２、５２３、５２４より外側に位置する。
【００５０】
液晶パネル４０の略中央には、変調光を出射する画像表示領域４０ａが四角形の領域として設けられている。第１基板５１は、側端面５１４が位置する側の端部（Ｙ軸方向の一方側Ｙ１の端部）が他の端部より第２基板５２の側端面５２４から大きく張り出しており、第１基板５１には、側端面５１４に沿ってデータ線駆動回路４０１および複数の端子４０２が形成されている。
【００５１】
また、第１基板５１には、側端面５１１、５１２に沿って走査線駆動回路４０４が形成されている。端子４０２には、フレキシブル配線基板４０ｉが接続されており、第１基板５１には、フレキシブル配線基板４０ｉを介して各種電位や各種信号が入力される。なお、第１基板５１では、側端面５１４とフレキシブル配線基板４０ｉとに跨るように補強用の接着剤４１が塗布されている。
【００５２】
第１基板５１の第１面５１ａおよび第２面５１ｂのうち、第２基板５２と対向する第１面５１ａには、画像表示領域４０ａに、透光性の画素電極４０５ａおよび画素電極４０５ａに対応する画素トランジスター（スイッチング素子／図示せず）を備えた画素がマトリクス状に形成されており、かかる画素電極４０５ａの上層側には配向膜４１６が形成されている。
【００５３】
また、第１基板５１の第１面５１ａにおいて、周辺領域４０ｃのうち、シール材４０７より内側の領域には、画素電極４０５ａと同時形成されたダミー画素電極４０５ｂが形成されている。ダミー画素電極４０５ｂについては、ダミーの画素トランジスターと電気的に接続された構成、ダミーの画素トランジスターが設けられずに配線に直接、電気的に接続された構成、あるいは電位が印加されていないフロート状態にある構成が採用される。
【００５４】
第２基板５２の第１面５２ａおよび第２面５２ｂのうち、第１基板５１と対向する第１面５２ａには透光性の共通電極４２１が形成されており、共通電極４２１の上層には配向膜４２６が形成されている。共通電極４２１は、第２基板５２の略全面あるいは複数の帯状電極として複数の画素に跨って形成されており、本実施形態において、共通電極４２１は、第２基板５２の略全面に形成されている。
【００５５】
また、第２基板５２の第１面５２ａには、共通電極４２１の下層側に遮光層４０８が形成されている。本形態において、遮光層４０８は、画像表示領域４０ａの外周縁に沿って延在する額縁状に形成されており、かかる遮光層４０８の内縁によって画像表示領域４０ａが規定されている。
【００５６】
遮光層４０８の外周縁は、シール材４０７の内周縁との間に隙間を隔てた位置にあり、遮光層４０８とシール材４０７とは被さっていない。また、第２基板５２において、隣り合う画素電極４０５ａにより挟まれた領域と重なる領域等には、遮光層４０８と同時形成された遮光層がブラックマトリクスあるいはブラックストライプとして形成されることもある。
【００５７】
第１基板５１には、シール材４０７より外側において第２基板５２の角部分と重なる領域に、第１基板５１と第２基板５２との間で電気的導通をとるための基板間導通用電極４０９が形成されている。
【００５８】
基板間導通用電極４０９と第２基板５２との間には、導電粒子を含んだ基板間導通材４０９ａが配置されており、第２基板５２の共通電極４２１は、基板間導通材４０９ａおよび基板間導通用電極４０９を介して、第１基板５１側に電気的に接続されている。このため、共通電極４２１は、第１基板５１の側から共通電位が印加されている。
【００５９】
シール材４０７は、略同一の幅寸法をもって第２基板５２の外周縁に沿って設けられている。但し、シール材４０７は、第２基板５２の角部分と重なる領域では基板間導通用電極４０９を避けて内側を通るように設けられている。
【００６０】
かかる構成の液晶パネル４０において、本実施形態では、画素電極４０５ａおよび共通電極４２１がＩＴＯ膜等の透光性導電膜により形成されているため、液晶パネル４０は透過型の液晶パネルである。かかる透過型の液晶パネル４０の場合、第１基板５１および第２基板５２のうち、一方側の基板から入射した光が他方側の基板を透過して出射される間に変調される。
【００６１】
本実施形態では、第２基板５２から入射した光（矢印Ｌ１１で示す）が第１基板５１を透過して変調光（矢印Ｌ１２で示す）として出射される構成になっている。このため、第２基板５２はＺ軸方向の一方側Ｚ１（光源光の入射側）に配置され、第１基板５１はＺ軸方向の他方側Ｚ２（表示光の出射側）に配置されている。
【００６２】
本実施形態の液晶パネル４０は、前記した投射型表示装置１（液晶プロジェクター）において、ライトバルブとして用いられるため、カラーフィルターは形成されない。但し、液晶パネル４０を、モバイルコンピューター、携帯電話機等といった電子機器の直視型のカラー表示装置として用いる場合、第２基板５２には、カラーフィルターが形成される。
【００６３】
＜液晶モジュールの全体構成＞
図５は、液晶モジュールを光出射側から見たときの斜視図である。図６は、液晶モジュールを分解した様子を光出射側から見たときの分解斜視図である。
【００６４】
液晶モジュール１０は、上記液晶パネル４０を光学ユニット９に搭載するにあたって、補強等を目的に、図５及び図６に示すように、液晶パネル４０をフレーム６０により支持したものである。なお、本実施形態の液晶モジュール１０では、液晶パネル４０及びフレーム６０に加えて、見切り部材８０や板状カバー９０が用いられている。以下、液晶モジュール１０の構成を、図５及び図６を参照しながら説明する。
【００６５】
図４及び図６に示すように、液晶モジュール１０は、第１基板５１の第２面５１ｂに第１透光板５６（第１防塵基板）が接着剤等により貼付され、第２基板５２の第２面５２ｂに第２透光板５７（第２防塵基板）が接着剤等により貼付されている。
【００６６】
第１透光板５６の液晶層４５０と反対側の面、及び第２透光板５７の液晶層４５０と反対側の面には、親液処理が施され親液膜１０４が形成されている。これにより、親液膜１０４に対する液体１０１の接触角が０に近づくことになり、液体が流れやすく、汚れも付きにくい（セルフクリーニング効果）。
【００６７】
第１透光板５６及び第２透光板５７は、防塵ガラスとして構成されており、塵等が第１基板５１の第２面５１ｂ、及び第２基板５２の第２面５２ｂに付着するのを防止する。これにより、液晶パネル４０に塵が付着したとしても、塵は液晶層４５０から離間している。したがって、上記投射型表示装置１から投射された画像に塵が像として映し出されることを抑制することができる。
【００６８】
また、液晶パネル４０に第１透光板５６及び第２透光板５７を貼り合せるので、液晶パネル４０で発生した熱を第１透光板５６及び第２透光板５７を介して外部に放熱させることが可能となる。
【００６９】
第１透光板５６及び第２透光板５７には、石英ガラスや耐熱ガラス等が用いられている。第１透光板５６及び第２透光板５７の厚みは、例えば、１．１ｍｍ〜１．２ｍｍ程度である。
【００７０】
第１透光板５６は、第１基板５１の第２面５１ｂの一部を露出させた状態で、液晶パネル４０の少なくとも画像表示領域４０ａに重なるように設けられている。第２透光板５７は、第２基板５２の第２面５２ｂの一部を露出させた状態で、液晶パネル４０の少なくとも画像表示領域４０ａに重なるように設けられている。
【００７１】
＜フレームの構成＞
図５及び図６に示すように、フレーム６０は、中央に矩形の開口部６８を備えた矩形枠状の樹脂製部材、あるいは金属部材である。フレーム６０は、液晶パネル４０の周りを囲む４つの枠部６１，６２，６３，６４を備えている。
【００７２】
枠部６１〜６４は、隣り合う枠部同士の連結部（角部分）がＺ軸方向の他方側Ｚ２に向けて突出した角柱状の柱状部６５１，６５２，６５３，６５４になっている。柱状部６５１，６５２，６５３，６５４には、液晶モジュール１０を投射型表示装置１のフレーム等にネジ止めするためのネジ穴が形成されている。
【００７３】
フレーム６０に入射側の見切り部材８０を取り付けると、フレーム６０の内側にパネル収容部が構成される。パネル収容部は、見切り部材８０からなる底部を有している。
【００７４】
フレーム６０には、枠部６１，６２，６３，６４の内側面に、液晶パネル４０に第２透光板５７を貼付した状態の端部の形状に対応する段部が形成されている。フレキシブル配線基板４０ｉは、液晶パネル４０の面内方向（板状部６４ｆの面内方向）に沿って延在するようにフレーム６０の外側に引き出されている。
【００７５】
このように構成したフレーム６０を用いて液晶モジュール１０を製造するには、フレーム６０に後述する入射側の見切り部材８０を取り付けてフレーム６０の内側にパネル収容部を形成した後、パネル収容部の内側に液晶パネル４０を収容する。
【００７６】
より具体的には、液晶パネル４０に第１透光板５６および第２透光板５７を貼付した後、フレーム６０において表示光が出射される側（Ｚ軸方向の他方側Ｚ２）から、第２透光板５７側を先行させるようにして液晶パネル４０をフレーム６０の内側（パネル収容部）に設ける。
【００７７】
＜入射側の見切り部材の構成＞
フレーム６０に対して光入射側（Ｚ軸方向の一方側Ｚ１）には、金属板あるいは樹脂板からなる板状の見切り部材８０が重ねて配置されている。本実施形態において、見切り部材８０は金属製であり、見切り部材８０においてＺ軸方向の一方側Ｚ１に向く面は反射面になっている。
【００７８】
見切り部材８０は、フレーム６０に対して光入射側で重なる四角形の端板部８７を備えており、端板部８７には、フレーム６０の開口部６８に重なる開口部８８が形成されている。
【００７９】
開口部８８は、フレーム６０の開口部６８に比して小さく、端板部８７は、開口部６８の全周において開口部６８の内側に張り出している。このため、見切り部材８０の端板部８７は、液晶パネル４０に光が入射する範囲を制限する見切り部として機能する。
【００８０】
図６に示すように、見切り部材８０は、端板部８７の外縁から延在する側板部８１，８２を備えている。Ｘ軸方向の他方側Ｘ２に位置する側板部８１は、枠部６１の外側面に重なるように端板部８７の端部からＺ軸方向の他方側Ｚ２に向けて略直角に屈曲している。本実施形態において、側板部８１は、Ｙ軸方向で離間する２個所に設けられており、かかる２枚の側板部８１の各々に係合穴８１０が形成されている。
【００８１】
一方、フレーム６０の枠部６１の外側面には、２つの係合穴８１０の各々に嵌る突部６１７が形成されている。また、Ｘ軸方向の一方側Ｘ１に位置する側板部８２は、枠部６２の外側面に重なるように端板部８７の端部からＺ軸方向の他方側Ｚ２に向けて略直角に屈曲している。
【００８２】
本実施形態において、側板部８２は、Ｙ軸方向で離間する２個所に設けられており、かかる２枚の側板部８２の各々には係合穴８２０が形成されている。一方、フレーム６０の枠部６２の外側面には、２つの係合穴８２０の各々に嵌る突部が形成されている。
【００８３】
従って、見切り部材８０は、フレーム６０を挟むように設けられた側板部８１、８２がフレーム６０の突部６１７に係合することによってフレーム６０に連結され、フレーム６０と一体化している。
【００８４】
また、フレーム６０の枠部６１、６２の外側の面において、突部６１７に挟まれた位置には突部６９が形成されており、かかる突部６９は、液晶モジュール１０を組み立てる際、板状カバー９０が係合する。
【００８５】
＜出射側の板状カバーの構成＞
本実施形態では、第１透光板５６に対してＺ軸方向の他方側Ｚ２には、金属板または樹脂板からなる板状カバー９０が配置されている。本実施形態において、板状カバー９０は金属板からなり、Ｚ軸方向の他方側Ｚ２の面は、黒色化処理によって光吸収面になっている。このため、液晶パネル４０から出射された光が他の部材で液晶パネル４０に向けて反射しても、板状カバー９０で吸収することができるので、迷光の発生を防止することができる。
【００８６】
板状カバー９０は、第１透光板５６に対してＺ軸方向の他方側Ｚ２で重なる矩形の枠状板部９７を有しており、かかる枠状板部９７の中央には、画像表示領域４０ａと重なる領域に開口部９８が形成されている。開口部９８は、第１透光板５６よりサイズが小さく、それ故、枠状板部９７は、表示光の出射範囲を制限する見切り部として機能する。
【００８７】
また、一対の側板部９４の各々からはフレーム６０が位置する側（Ｚ軸方向の一方側Ｚ１）に向けて延在する係合板部９５が延在しており、かかる一対の係合板部９５には、フレーム６０に形成した突部６９が嵌る係合穴９５０が形成されている。
【００８８】
＜液晶装置の構成＞
図７は、液晶パネルを含む液晶装置の構成を示す模式図である。（ａ）は、液晶装置の構成を示す模式平面図である。（ｂ）は、液晶装置の構成を示す模式側面図である。図８は、液晶パネルに付着した異物を取り除く方法を工程順に示す模式側面図である。以下、液晶装置の構成、及び異物の除去方法を、図７及び図８を参照しながら説明する。なお、図７は、投射型表示装置に液晶装置が配置されている状態を示しているため、液晶パネルが立って（図５におけるＹ２が上方に向くように）配置されている状態を示している。
【００８９】
図７に示すように、液晶装置１００は、上記液晶パネル４０と、液晶パネル４０に液体１０１を噴霧する供給装置としての噴霧装置１０２（１０２ａ〜１０２ｄ）と、を備えている。
【００９０】
噴霧装置１０２は、例えば、上記フレーム６０に固定されている。噴霧装置１０２としては、例えば、圧電効果を利用したピエゾ素子（インクジェット吐出装置など）を用いることができる。なお、バブルジェット（登録商標）のような装置を用いるようにしてもよい。また、噴霧装置１０２は、ピエゾ素子に限定されず、液晶パネル４０に液体１０１を吐出できるものであればその他の装置でもよい。
【００９１】
上記の噴霧装置１０２を用いて液晶パネル４０に液体１０１を噴霧した際、液晶パネル４０の表面（第１透光板５６表面、第２透光板５７表面）に親液膜１０４が形成されているので、薄い液体１０１の膜にすることができる。
【００９２】
液体１０１は、例えば、水である。なお、水に限定されず、液晶パネル４０に付着した異物１０３を流し落とすことができれば、水を多く含む液体やアルコールなどであってもよい。なお、アルコールであれば、しっかり揮発させることが可能となり、液晶パネル４０の表面を乾燥させることができる。
【００９３】
液晶パネル４０に、液晶パネル４０の両サイドに配置された噴霧装置１０２ａ〜１０２ｄから液体１０１を噴霧することにより、図７（ｂ）に示すように、液晶パネル４０（第１透光板５６、第２透光板５７）に液体１０１が付着し、自重によって、液晶パネル４０の上方から下方に液体１０１を流し落とすことができる。
【００９４】
次に、異物１０３を除去する方法を、図８を参照しながら説明する。なお、異物１０３を除去するタイミングは、例えば、投射型表示装置１によって画像を投射する前や、画像の投射を停止したとき等に行うようにすることが好ましい。
【００９５】
図８（ａ）に示す工程では、液晶パネル４０（第１透光板５６）に、例えば、静電気などによって異物１０３が付着した状態を示している。静電気によって異物１０３が付着した場合、送風などの方法を用いた場合でも、液晶パネル４０から異物１０３を除去することが難しい。
【００９６】
図８（ｂ）に示す工程では、噴霧装置１０２を用いて液晶パネル４０（第１透光板５６）に液体１０１を噴霧する。噴霧装置１０２は、液体１０１を第１透光板５６の全体に噴霧するようにしてもよいし、上方のみに噴霧するようにしてもよい。上方のみに噴霧する場合は、液体１０１の自重によって第１透光板５６の全体に液体１０１が流れる程度の液体１０１が必要となる。そして噴霧された液体１０１は、異物１０３と接触する。
【００９７】
図８（ｃ）に示す工程では、噴霧した液体１０１が自重によって下方に流れることによって、異物１０３を浮き上がらせる。
【００９８】
図８（ｄ）に示す工程では、下方に流れ落ちる液体１０１と一緒に、異物１０３を流し落とす。これにより、液晶パネル４０（第１透光板５６）の表面から、異物１０３を除去することができる。
【００９９】
以上詳述したように、本実施形態の液晶装置１００、及び電子機器によれば、以下に示す効果が得られる。
【０１００】
（１）本実施形態の液晶装置１００によれば、液晶パネル４０の表面（第１透光板５６、第２透光板５７）に液体１０１を供給する（噴霧する）ので、液晶パネル４０に付着した異物１０３を液体１０１の自重の動きに倣って落とすことができる。また、液体１０１を供給するので、液晶パネル４０の近傍の湿度を高くすることができる。よって、異物１０３が付着する原因である静電気の発生を抑えることができる。加えて、液晶パネル４０に液体１０１を供給するので、液晶パネル４０を冷却することができる。また、噴霧装置１０２によって、局所的に（液晶パネル４０周辺の）湿度をコントロールできるので、異物１０３の付着を防ぐことができる。
【０１０１】
（２）本実施形態の液晶装置１００によれば、液体１０１を噴霧することにより、必要最小限の液体１０１を用いて異物１０３を流し落とすことができる。また、微量な液体１０１を噴霧するので、水分によって液晶パネル４０の周囲全体に悪影響を及ぼすことを抑えることができる。
【０１０２】
（３）本実施形態の液晶装置１００によれば、第１透光板５６の表面、及び第２透光板５７の表面に親液膜１０４を形成するので、液体１０１を供給した際、表面に薄い液体１０１の膜を作ることができる。よって、親液膜１０４に対する液体１０１の接触角が０に近づくことになり、液体１０１が流れやすくなり、汚れも付きにくい（セルフクリーニング効果）。これにより、異物１０３を流しやすくすることができる。その結果、異物１０３がセルフクリーニングで流れ落ち、異物１０３が付着したとしても、液体１０１を噴霧することで、液体１０１と異物１０３が共に落下する。また、局所的に液体１０１を噴霧することで、微量な液体１０１でクリーニングすることが可能となると共に、静電気の発生を抑えることができる。
【０１０３】
（４）本実施形態の電子機器によれば、上記液晶装置１００を備えるので、液晶パネル４０に付着した異物１０３を除去することができ、表示品質を向上させることが可能な電子機器を提供することができる。
【０１０４】
なお、本発明の態様は、上記した実施形態に限られるものではなく、請求の範囲及び明細書全体から読み取れる発明の要旨あるいは思想に反しない範囲で適宜変更可能であり、本発明の態様の技術範囲に含まれるものである。また、以下のような形態で実施することもできる。
【０１０５】
（変形例１）
上記したように、噴霧装置１０２を液晶パネル４０の両サイドに配置することに限定されず、図９及び図１０に示すように配置するようにしてもよい。図９及び図１０は、変形例の液晶装置１００ａ，１００ｂの構成を示す模式側面図である。図９に示す液晶装置１００ａは、液晶パネル４０の両サイドではなく、液晶パネル４０の上方に噴霧装置２０２を配置している部分が、上記実施形態と異なっている。
【０１０６】
図９に示すように、液晶パネル４０の上方に配置された噴霧装置２０２は、液晶パネル４０の幅と略同じ程度の幅で構成されている。噴霧装置２０２には、複数のノズル１０５が噴霧装置２０２の長手方向に並べられて配置されている。これによれば、液晶パネル４０の上方から液晶パネル４０の幅方向の全体に亘って水を噴霧するので、噴霧する圧力が弱くても、液体１０１の自重で液晶パネル４０に付着した異物１０３を流し落とすことができる。
【０１０７】
図１０に示す液晶装置１００ｂは、液晶パネル４０の上方に噴霧装置３０２が配置されると共に、液晶パネル４０の幅方向に移動する（平行移動）ことが可能に設けられている部分が、上記液晶装置１００ａと異なっている。具体的には、液晶パネル４０の左端から右端に移動することが可能に設けられている。図１０に示す液晶装置１００ｂによれば、液晶パネル４０の幅方向に移動することができるので、噴霧装置３０２を小さくすることができる。加えて、噴霧装置３０２を所望の場所に移動させることが可能であるので、液晶パネル４０の異物１０３が付着しやすい部分に重点的に液体１０１を噴霧することもできる。
【０１０８】
（変形例２）
上記したように、液晶パネル４０のフロント側（第２透光板５７側）に２つの噴霧装置１０２ｃ，１０２ｄ、及び液晶パネル４０のリア側（第１透光板５６側）に２つの噴霧装置１０２ａ，１０２ｂが配置されていることに限定されず、例えば、フロント側に１つの噴霧装置や３つ以上の噴霧装置を配置するようにしてもよい。リア側も同様である。
【０１０９】
（変形例３）
上記したように、透過型の液晶パネル４０を備えた液晶装置１００であることに限定されず、反射型の液晶パネルを備えた液晶装置に本発明を適用するようにしてもよい。
【０１１０】
（変形例４）
上記したように、電気光学装置として液晶パネル４０を備えた液晶装置１００を例に挙げて説明したが、これに限定されず、有機ＥＬパネル、プラズマディスプレイパネル、ＦＥＤ（Field Emission Display）パネル、ＳＥＤ（Surface Conduction Electron Emitter Display）パネル、ＬＥＤ（発光ダイオード）表示パネル、電気泳動表示パネル等を用いた電気光学モジュールに本発明を適用してもよい。
【０１１１】
（変形例５）
上記したように、液晶装置１００が搭載される電子機器としては、投射型表示装置１の他、ＣＣＤ（Charge Coupled Device）などの受光素子、ヘッドアップディスプレイ（ＨＵＤ）、ヘッドマウントディスプレイ（ＨＭＤ）、スマートフォン、ＥＶＦ（Electrical View Finder）、モバイルミニプロジェクター、電子ブック、携帯電話、モバイルコンピューター、デジタルカメラ、デジタルビデオカメラ、ディスプレイ、車載機器、オーディオ機器、露光装置や照明機器など各種電子機器に用いることができる。
【符号の説明】
【０１１２】
１…投射型表示装置、１ａ…出射光の光軸、１ｂ…被投射面、２…外装ケース、３…アッパーケース、４…ロアーケース、６…投射レンズユニット、７…電源ユニット、８…光源ランプユニット、９…光学ユニット、１０…液晶モジュール、１３…装置駆動制御用の制御基板、１４Ｒ，１４Ｌ…スピーカー、１５Ａ…吸気ファン、１５Ｂ…吸気ファン、１６…排気ファン、１７…補助冷却ファン、２０…プリズムユニット、２１…上ライトガイド、２２…下ライトガイド、４０…電気光学パネルとしての液晶パネル、４０ａ…画像表示領域、４０ｃ…周辺領域、４０ｉ…フレキシブル配線基板、４１…補強用の接着剤、５１…第１基板、５１ａ…第１面、５１ｂ…第２面、５２…第２基板、５２ａ…第１面、５２ｂ…第２面、５６…第１防塵基板としての第１透光板、５７…第２防塵基板としての第２透光板、６０…フレーム、６１，６２，６３，６４…枠部、６４ｆ…板状部、６８…開口部、６９…突部、８０…見切り部材、８１，８２…側板部、８７…端板部、８８…開口部、９０…板状カバー、９４…側板部、９５…係合板部、９７…枠状板部、９８…開口部、１００，１００ａ，１００ｂ…液晶装置、１０１…液体、１０２，２０２，３０２，１０２ａ〜１０２ｄ…供給装置としての噴霧装置、１０３…異物、１０４…親液膜、１０５…ノズル、１６０，１６１…偏光板、４０１…データ線駆動回路、４０２…端子、４０４…走査線駆動回路、４０５ａ…画素電極、４０５ｂ…ダミー画素電極、４０７…シール材、４０８…遮光層、４０９…基板間導通用電極、４０９ａ…基板間導通材、４１６…配向膜、４２１…共通電極、４２６…配向膜、４５０…電気光学層としての液晶層、５１１，５１２，５１３，５１４，５２１，５２２，５２３，５２４…側端面、６１７…突部、６５１，６５２，６５３，６５４…柱状部、８０５…光源ランプ、８１０…係合穴、８２０…係合穴、９２１，９２２…インテグレーターレンズ、９２３…照明光学系、９２４…色光分離光学系、９２７…リレー光学系、９３１…反射ミラー、９４１…青緑反射ダイクロイックミラー、９４２…緑反射ダイクロイックミラー、９４３…反射ミラー、９４４，９４５，９４６…各色光束の出射部、９５０…係合穴、９５１，９５２，９５３…集光レンズ、９７１…入射側反射ミラー、９７２…出射側反射ミラー、９７３…中間レンズ、９７４…集光レンズ。
【図１】
2015200723.tif 000003
【図２】
2015200723.tif 000004
【図３】
2015200723.tif 000005
【図４】
2015200723.tif 000006
【図５】
2015200723.tif 000007
【図６】
2015200723.tif 000008
【図７】
2015200723.tif 000009
【図８】
2015200723.tif 000010
【図９】
2015200723.tif 000011
【図１０】
2015200723.tif 000012